(57)【要約】【課題】アンテナエレメント部の軸周りの回転や傾動に対する耐性を強め、アンテナエレメント部を所要方向に調整した状態をより高い安定性で維持することができる。【解決手段】直線状のアンテナエレメント部２と、アンテナエレメント部２を保持する保持部３と、保持部３を軸支部５で傾動可能に軸支する接触導通部４を有し、軸支部５に対する弾性材６２の付勢により、アンテナエレメント部２及び保持部３を傾けた状態で定置可能な携帯端末用ロッドアンテナ１であって、接触導通部４の基部４１が、内側に膨出する接触部が周方向に設けられるホルダー７の筒部７１に挿入して接触部と摺動可能に形成され、筒部７１内で軸周りに回転可能に形成されると共に、周方向に略等間隔で離間する複数箇所で接触部と略平面的に接触可能な平面状の側面４１１を有する略多角柱状に形成される。【選択図】図５
2014236356.tif 000002
【特許請求の範囲】
【請求項１】
直線状のアンテナエレメント部と、
アンテナエレメント部を保持する保持部と、
前記保持部を軸支部で傾動可能に軸支する接触導通部とを有し、
前記軸支部に対する弾性材の付勢により、前記アンテナエレメント部及び前記保持部を傾けた状態で定置可能な携帯端末用ロッドアンテナであって、
前記接触導通部の基部が、
内側に膨出する接触部が周方向に設けられるホルダーの筒部に挿入して前記接触部と摺動可能に形成され、
前記筒部内で軸周りに回転可能に形成されると共に、
周方向に略等間隔で離間する複数箇所で前記接触部と略平面的に接触可能な平面状の側面を有する略多角柱状に形成される
ことを特徴とする携帯端末用ロッドアンテナ。
【請求項２】
前記接触導通部の基部が、前記接触部を構成する周方向に離間して設けられる複数のバネ状接触部のうち、周方向に略等間隔で離間する複数箇所の前記バネ状接触部と略平面的に接触可能な平面状の側面を有する略多角柱状に形成されることを特徴とする請求項１記載の携帯端末用ロッドアンテナ。
【請求項３】
前記接触導通部の基部が、略正多角柱状に形成されることを特徴とする請求項１又は２記載の携帯端末用ロッドアンテナ。
【請求項４】
前記接触導通部の基部が、前記筒部の略同一幅で形成される前記バネ状接触部と前記バネ状接触部の間で前記バネ状接触部と略同一幅で設けられる周壁の各々に対応配置可能な平面状の側面を有する略正偶数角柱状に形成されることを特徴とする請求項２記載の携帯端末用ロッドアンテナ。
【請求項５】
前記接触導通部の基部が、前記筒部のスリットを介して離間して略同一幅で形成される前記バネ状接触部の各々に対応配置可能な平面状の側面を有する略正多角柱状に形成されることを特徴とする請求項２記載の携帯端末用ロッドアンテナ。
【請求項６】
周方向に略等間隔で離間して前記接触部と略平面的に接触可能な前記複数箇所が３箇所以上となることを特徴とする請求項１〜５の何れかに記載の携帯端末用ロッドアンテナ。
【請求項７】
直線状のアンテナエレメント部と、アンテナエレメント部を保持する保持部と、前記保持部を軸支部で傾動可能に軸支する接触導通部を有し、前記軸支部に対する弾性材の付勢により、前記アンテナエレメント部及び前記保持部を傾けた状態で定置可能な携帯端末用ロッドアンテナと、
内側に膨出する接触部が周方向に設けられる筒部を有するホルダーとで構成され、
前記接触導通部の基部が、
挿入される前記ホルダーの前記筒部の前記接触部と摺動可能に形成され、
前記筒部内で軸周りに回転可能に形成されると共に、
周方向に略等間隔で離間する複数箇所で前記接触部と略平面的に接触可能な平面状の側面を有する略多角柱状に形成される
ことを特徴とする携帯端末用ロッドアンテナ構造。
【請求項８】
請求項１〜６の何れかの携帯端末用ロッドアンテナが、筐体に固定される前記ホルダーの前記筒部に挿入して設けられることを特徴とする携帯端末。
【発明の詳細な説明】
【技術分野】
【０００１】
本発明は、例えばワンセグ放送を受信可能なスマートフォン等の携帯端末に用いられる携帯端末用ロッドアンテナ、携帯端末用ロッドアンテナ構造及び携帯端末に関する。
【背景技術】
【０００２】
従来、多機能携帯端末等の携帯端末に用いられる携帯端末用ロッドアンテナとして、出没可能な直線状のアンテナエレメント部と、アンテナエレメント部を保持する保持部と、保持部の下側に設けられる接触導通部を有し、保持部が接触導通部に軸支部で傾動可能に軸支され、アンテナエレメント部及び保持部が軸支部へのバネ材の付勢により、段階的な所定の傾斜角度に傾けた状態で定置可能になっているものが知られている。
【０００３】
この接触導通部の基部は略円柱形に形成され、携帯端末の筐体に固定されるホルダーの筒部に挿入され、スリットで離間して周方向に所定間隔を開けて形成され且つ内側に膨出するように形成されるバネ状接触部と摺動接触するように設けられる。スリット及びバネ状接触部は、ホルダーの筒部自体或いはホルダーの筒部内に収容される筒材に形成されてホルダーに設けられる。
【０００４】
そして、アンテナの伸長時には、接触導通部の基部がホルダーのバネ状接触部と接触し、携帯端末の筐体内の給電部からホルダーに給電され、更に、バネ状接触部、接触導通部、保持部を介してアンテナエレメント部に給電されるようになっている（特許文献１参照）。
【先行技術文献】
【特許文献】
【０００５】
【特許文献１】特開２０１３−１７０６１号公報
【発明の概要】
【発明が解決しようとする課題】
【０００６】
ところで、上記携帯端末用ロッドアンテナは、接触導通部の略円柱形の基部が周方向に設けられるバネ状接触部で多方向から内側に付勢されることにより、軸周りの回動がある程度規制されると共に、アンテナエレメント部及び保持部がバネ材の付勢により所定の傾斜角度に傾けた状態で定置可能になっており、軸周りの回転方向と傾斜角度の調整によって、所要の方向にアンテナエレメント部を向けて定置可能になっている。
【０００７】
しかしながら、例えばアンテナエレメント部の方向を調整した状態で携帯端末を机に強く置いた場合に衝撃でアンテナエレメント部が不用意に回転したり倒れたりすることがあり、或いは自動車のダッシュボードや新幹線のテーブルにアンテナエレメント部の方向を調整した状態で携帯端末を置いていた場合に振動でアンテナエレメント部が不用意に回転したり倒れたりする等の事態が生ずる場合がある。そのため、アンテナエレメント部の軸周りの回転や傾動に対する耐性を強め、アンテナエレメント部を所要方向に調整した状態をより高い安定性で維持することを可能にする技術が求められている。
【０００８】
本発明は上記課題に鑑み提案するものであり、アンテナエレメント部の軸周りの回転と傾動に対する耐性を強めることが可能であり、アンテナエレメント部を所要方向に調整した状態をより高い安定性で維持することができる携帯端末用ロッドアンテナ、携帯端末用ロッドアンテナ構造及び携帯端末を提供することを目的とする。
【課題を解決するための手段】
【０００９】
本発明の携帯端末用ロッドアンテナは、直線状のアンテナエレメント部と、アンテナエレメント部を保持する保持部と、前記保持部を軸支部で傾動可能に軸支する接触導通部とを有し、前記軸支部に対する弾性材の付勢により、前記アンテナエレメント部及び前記保持部を傾けた状態で定置可能な携帯端末用ロッドアンテナであって、前記接触導通部の基部が、内側に膨出する接触部が周方向に設けられるホルダーの筒部に挿入して前記接触部と摺動可能に形成され、前記筒部内で軸周りに回転可能に形成されると共に、周方向に略等間隔で離間する複数箇所で前記接触部と略平面的に接触可能な平面状の側面を有する略多角柱状に形成されることを特徴とする。
この構成によれば、接触導通部の基部がホルダーの接触部と周方向に略等間隔で離間する複数箇所で略平面的に接触することになるから、周方向の略等間隔な位置による略平面的な接触の付勢で安定して保持し、アンテナエレメント部、保持部、接触導通部を軸周りに回転しにくくすることが可能となり、衝撃や振動が加わった際のアンテナエレメント部の軸周りの回転や傾動に対する耐性を強め、アンテナエレメント部を所要方向に調整した状態をより高い安定性で維持することができる。従って、摺動接触部の基部が略円柱形で軸周りに回転し易い既存の構成で、衝撃や振動が加わった際にアンテナエレメント部の軸周りの回動動作が生じ、この回動動作による遠心力と衝撃や振動が相俟ってアンテナエレメント部が不用意に傾動して倒れるという、既存の構成の問題点を解消することができる。また、接触導通部の基部を筒部内で軸周りに回転可能とすることにより、携帯端末用ロッドアンテナの軸周りの回転による電波受信状態の調整機能を確保することができる。また、故障が生じ易い複雑な構造を有しないものであり、安価に実現することができると共に、実用レベルで十分な耐久性を有するものとすることができる。
【００１０】
本発明の携帯端末用ロッドアンテナは、前記接触導通部の基部が、前記接触部を構成する周方向に離間して設けられる複数のバネ状接触部のうち、周方向に略等間隔で離間する複数箇所の前記バネ状接触部と略平面的に接触可能な平面状の側面を有する略多角柱状に形成されることを特徴とする。
この構成によれば、離間するバネ状接触部と接触導通部の基部が略平面的に接触することになることから、略平面的に接触する複数箇所の接触面積の増加、接触状態の均等性の向上を図ることができ、略平面的な接触による保持力、状態維持の安定性を一層高めることができる。
【００１１】
本発明の携帯端末用ロッドアンテナは、前記接触導通部の基部が、略正多角柱状に形成されることを特徴とする。
この構成によれば、略正多角柱状の基部の側面の幅毎の軸周りの回転により、アンテナエレメント部の軸周りの方向調整を行うことが可能となり、且つその方向調整した状態を略平面的な接触で安定して定置することが可能となる。
【００１２】
本発明の携帯端末用ロッドアンテナは、前記接触導通部の基部が、前記筒部の略同一幅で形成される前記バネ状接触部と前記バネ状接触部の間で前記バネ状接触部と略同一幅で設けられる周壁の各々に対応配置可能な平面状の側面を有する略正偶数角柱状に形成されることを特徴とする。
この構成によれば、アンテナエレメント部等の軸周りの良好な回転し易さを得ることができると共に、バネ状接触部やバネ状接触部と略同一幅の周壁に対応する側面の幅毎の回転により、アンテナエレメント部の軸周りの方向調整を行うことができ、より微妙な電波受信状態の調整を行うことができる。更に、当該側面の幅毎に安定した定置状態を得ることができ、電波受信を調整した状態の維持をより小さい軸周りの回転角度毎に行うことができる。
【００１３】
本発明の携帯端末用ロッドアンテナは、前記接触導通部の基部が、前記筒部のスリットを介して離間して略同一幅で形成される前記バネ状接触部の各々に対応配置可能な平面状の側面を有する略正多角柱状に形成されることを特徴とする。
この構成によれば、アンテナエレメント部等の軸周りの良好な回転し易さを得ることができると共に、バネ状接触部に対応する側面の幅毎の回転により、アンテナエレメント部の軸周りの方向調整を行うことができ、より微妙な電波受信状態の調整を行うことができる。更に、当該側面の幅毎に安定した定置状態を得ることができ、電波受信を調整した状態の維持をより小さい軸周りの回転角度毎に行うことができる。
【００１４】
本発明の携帯端末用ロッドアンテナは、周方向に略等間隔で離間して前記接触部と略平面的に接触可能な前記複数箇所が３箇所以上となることを特徴とする。
この構成によれば、ホルダーの接触部による接触導通部の基部の平面状側面への付勢支持を周方向で略等間隔に離間した３方向以上で行うことができ、ホルダーの接触部による接触導通部の保持状態をより安定させることができる。
【００１５】
本発明の携帯端末用ロッドアンテナ構造は、直線状のアンテナエレメント部と、アンテナエレメント部を保持する保持部と、前記保持部を軸支部で傾動可能に軸支する接触導通部を有し、前記軸支部に対する弾性材の付勢により、前記アンテナエレメント部及び前記保持部を傾けた状態で定置可能な携帯端末用ロッドアンテナと、内側に膨出する接触部が周方向に設けられる筒部を有するホルダーとで構成され、前記接触導通部の基部が、挿入される前記ホルダーの前記筒部の前記接触部と摺動可能に形成され、前記筒部内で軸周りに回転可能に形成されると共に、周方向に略等間隔で離間する複数箇所で前記接触部と略平面的に接触可能な平面状の側面を有する略多角柱状に形成されることを特徴とする。
この構成によれば、接触導通部の基部がホルダーの接触部と周方向に略等間隔で離間する複数箇所で略平面的に接触することになるから、周方向の略等間隔な位置による略平面的な接触の付勢で安定して保持し、アンテナエレメント部、保持部、接触導通部を軸周りに回転しにくくすることが可能となり、衝撃や振動が加わった際のアンテナエレメント部の軸周りの回転や傾動に対する耐性を強め、アンテナエレメント部を所要方向に調整した状態をより高い安定性で維持することができる。従って、摺動接触部の基部が略円柱形で軸周りに回転し易い既存の構成で、衝撃や振動が加わった際にアンテナエレメント部の軸周りの回動動作が生じ、この回動動作による遠心力と衝撃や振動が相俟ってアンテナエレメント部が不用意に傾動して倒れるという、既存の構成の問題点を解消することができる。また、接触導通部の基部を筒部内で軸周りに回転可能とすることにより、携帯端末用ロッドアンテナの軸周りの回転による電波受信状態の調整機能を確保することができる。また、故障が生じ易い複雑な構造を有しないものであり、安価に実現することができると共に、実用レベルで十分な耐久性を有するものとすることができる。
【００１６】
本発明の携帯端末は、本発明の携帯端末用ロッドアンテナが、筐体に固定される前記ホルダーの前記筒部に挿入して設けられることを特徴とする。
この構成によれば、本発明の携帯端末用ロッドアンテナの効果を有する携帯端末を得ることができる。
【発明の効果】
【００１７】
本発明によれば、携帯端末用ロッドアンテナのアンテナエレメント部の軸周りの回転や傾動に対する耐性を強めることが可能であり、アンテナエレメント部を所要方向に調整した状態をより高い安定性で維持することができる。
【図面の簡単な説明】
【００１８】
【図１】（ａ）は実施形態の携帯端末用ロッドアンテナ及びホルダーを示す斜視図、（ｂ）はその正面図。
【図２】実施形態の携帯端末用ロッドアンテナの保持部及び接触摺動部の周辺を示す部分拡大正面図。
【図３】（ａ）は図１のＡ−Ａ線拡大断面図、（ｂ）は図１のＢ−Ｂ線拡大断面図。
【図４】（ａ）は伸長時の実施形態の携帯端末用ロッドアンテナ及びホルダーを示す斜視図、（ｂ）はその正面図。
【図５】図４のＣ−Ｃ線拡大断面図。
【図６】従来例の携帯端末用ロッドアンテナ及びホルダーを示す正面図。
【図７】（ａ）は図６のＤ−Ｄ線拡大断面図、（ｂ）は図６のＥ−Ｅ線拡大断面図、（ｃ）は従来例の図５の断面に相当する拡大断面図。
【図８】変形例の携帯端末用ロッドアンテナ及びホルダーのＣ−Ｃ線に対応する断面図。
【図９】別の変形例の携帯端末用ロッドアンテナ及びホルダーのＣ−Ｃ線に対応する断面図。
【図１０】携帯端末用ロッドアンテナ構造の耐性試験装置の概要を示す説明図。
【図１１】実施例と従来例の携帯端末用ロッドアンテナ構造の耐性試験の比較結果を示すグラフ。
【発明を実施するための形態】
【００１９】
〔実施形態の携帯端末用ロッドアンテナ〕
本実施形態の携帯端末用ロッドアンテナ１は、例えばワンセグ放送を受信可能なスマートフォン等の携帯端末に用いられる携帯端末用ロッドアンテナであり、図１〜図５に示すように、直線状のアンテナエレメント部２と、アンテナエレメント部２を保持する保持部３と、保持部３を軸支部５で傾動可能に軸支する接触導通部４を備え、携帯端末に取り付けられるホルダー７の筒部７１に挿入するようにして設けられて使用される。
【００２０】
アンテナエレメント部２は、多段式で出没して伸長・短縮が可能になっており、第１の筒状アンテナエレメント２１と、第１の筒状アンテナエレメント２１に対して出没可能な第２の筒状アンテナエレメント２２と、第２の筒状アンテナエレメント２２に対して出没可能な第３の筒状アンテナエレメント２３と、第３の筒状アンテナエレメント２３に対して出没可能な第４の筒状アンテナエレメント２４と、第４の筒状アンテナエレメント２４に対して出没可能な棒状アンテナエレメント２５とから構成され、短縮時には第１の筒状アンテナエレメント２１内に、第２の筒状アンテナエレメント２２、第３の筒状アンテナエレメント２３、第４の筒状アンテナエレメント２４、棒状アンテナエレメント２５を多段式に収納可能になっている。
【００２１】
第１の筒状アンテナエレメント２１の上端には樹脂製のキャップ２１１が設けられ、その下端は若干縮径して形成されている。第２の筒状アンテナエレメント２２の上端部の周囲には外側に膨出する接触バネ（図示省略）が設けられており、第２の筒状アンテナエレメント２２の上端部とその周囲の接触バネは第１の筒状アンテナエレメント２１内に挿入されている。この接触バネは第１の筒状アンテナエレメント２１内に常時存在し、第１、第２の筒状アンテナエレメント２１、２２の出没に応じて内壁に接触しながら摺動するようになっており、この接触バネを介して第２の筒状アンテナエレメント２２と第１の筒状アンテナエレメント２１とが導通される。
【００２２】
第２の筒状アンテナエレメント２２の下端も若干縮径して形成されていると共に、第３の筒状アンテナエレメント２３の上端部の周囲にも外側に膨出する接触バネ（図示省略）が設けられ、第３の筒状アンテナエレメント２３の上端部と接触バネは第２の筒状アンテナエレメント２２内に挿入され、第２の筒状アンテナエレメント２２内に常時存在する。第２、第３の筒状アンテナエレメント２２、２３でも、接触バネの摺動、接触バネを介しての導通について、第１、第２の筒状アンテナエレメント２１、２２の場合と同様の構成を有する。
【００２３】
第３の筒状アンテナエレメント２３の下端も若干縮径して形成されていると共に、第４の筒状アンテナエレメント２４の上端部の周囲にも外側に膨出する接触バネ（図示省略）が設けられ、第４の筒状アンテナエレメント２４の上端部と接触バネは第３の筒状アンテナエレメント２３内に挿入され、第３の筒状アンテナエレメント２３内に常時存在する。第３、第４の筒状アンテナエレメント２３、２４でも、接触バネの摺動、接触バネを介しての導通について、第１、第２の筒状アンテナエレメント２１、２２の場合と同様の構成を有する。
【００２４】
第４の筒状アンテナエレメント２４の下端も若干縮径して形成されていると共に、棒状アンテナエレメント２５の上端に拡径部（図示省略）が形成され、その下側における棒状アンテナエレメント２５の上端近傍の周囲には外側に膨出する接触バネ（図示省略）が設けられている。棒状アンテナエレメント２５は第４の筒状アンテナエレメント２４内に挿入され、第４の筒状アンテナエレメント２４内に常時存在する接触バネは、第４の筒状アンテナエレメント２４と棒状アンテナエレメント２５の出没に応じて第４の筒状アンテナエレメント２４の内壁に接触しながら摺動するようになっており、この接触バネを介して棒状アンテナエレメント２５と第４の筒状アンテナエレメント２４とが導通される。
【００２５】
保持部３は、略円柱形であり、上面の嵌合孔に挿入して嵌合される棒状アンテナエレメント２５を保持するようになっており、後述する接触導通部４、ホルダー７を介して携帯端末の筐体に設けられる給電部に電気的に接続される。保持部３の下部には、軸支部５を構成する略半円状の突出板５１が設けられ、突出板５１の周縁には所定間隔毎に係合凹部５２が形成されている。
【００２６】
接触導通部４は、本例では略正８角柱状である略正多角柱状の基部４１と、基部４１の下端に基部４１より大径で形成されているホルダー７の筒部７１からの抜け止め用のストッパー４２と、基部４１の上側に突出して設けられている上部４３を有する。
【００２７】
上部４３の上端部は二股に分かれた一対の板状部になっており、この一対の板状部の間に突出板５１が挿入され、一対の板状部と突出板５１を貫通するように軸支部５を構成する軸支ピン５３が設けられている。保持部３とアンテナエレメント部２は軸支ピン５３を中心に傾動して接触導通部４に屈曲可能に支持されると共に、軸支ピン５３で接触導通部４と保持部３及びアンテナエレメント部２が導通される。
【００２８】
接触導通部４には、上部４３内に配置される球体等の係止体６１と、上部４３から基部４１内にかけて配置され、係止体６１を上方に付勢するコイルバネ等である弾性材６２が設けられている。係止体６１は弾性材６２で接触導通部４の先端方向である上方に付勢され、球体の球面など係止体６１の係合面が突出板５１の係合凹部５２に係脱可能に係合される。
【００２９】
この係止体６１と係合凹部５２との係合により、アンテナエレメント部２及び保持部３を所定の方向で定置することが可能になっていると共に、アンテナエレメント部２及び保持部３を軸支ピン５３を中心に回転し、係止体６１を弾性材６２の弾性力に抗して押し下げ係合凹部５２の係合から外してアンテナエレメント部２を所定の方向に調整し、調整後の方向に対応する係合凹部５２に係止体６１を係合して定置することが可能になっている。
【００３０】
即ち、アンテナエレメント部２及び保持部３は、軸支部５に対する係止体６１を介した弾性材６２の付勢により、所定の方向に定置することが可能になっており、真っ直ぐにした状態或いは所要の傾斜角度の傾けた状態にして定置することが可能になっている。
【００３１】
接触導通部４の基部４１は、内側に膨出する接触部が周方向に設けられるホルダー７の筒部７１に挿入して接触部と摺動可能に形成され、周方向に略等間隔で離間する複数箇所で接触部と略平面的に接触可能な平面状の側面４１１を有する略多角柱状に形成されるものであり、本例では、後述するホルダー７の筒部７１のバネ状接触部７１２と摺動可能に形成され、筒部７１内で軸周りに回転可能に形成されていると共に、バネ状接触部７１２の各々に対応配置可能な平面状の側面４１１を有する略正多角柱状に形成されている。
【００３２】
更に、本例の基部４１は、筒部７１の略同一幅で形成されるバネ状接触部７１２とバネ状接触部７１２・７１２の間でバネ状接触部７１２と略同一幅で設けられる周壁７１３の各々に対応配置可能な平面状の側面を有する略正偶数角柱状の略正８角柱状に形成されている。尚、略正多角柱状、略正偶数角柱状等の基部４１には、中実或いは中空の双方が含まれる。
【００３３】
接触導通部４の基部４１等が挿入されるホルダー７は、筒部７１と、筒部７１の上端から側方に突出して形成されている取付板７２とから構成され、取付板７２をボルト締めする等により、ホルダー７は携帯端末の筐体に取り付けられる。筒部７１には、上下端まで達しない長さのスリット７１１が周方向に間隔を開けて形成され、スリット７１１・７１１間に挟まれるようにして、略弧状に内側に膨出するバネ状接触部７１２が周方向に離間して設けられている。バネ状接触部７１２は、筒部７１の周方向に複数設けられるスリット７１１・７１１間の領域のうちで１つおきの領域に形成され、これらの複数のバネ状接触部７１２の全体で、周方向に設けられる内側に膨出する接触部を構成している。
【００３４】
筒部７１のスリット７１１・７１１間の領域のうちでバネ状接触部７１２が形成されていない領域は、筒部７１の周壁７１３になっており、本例では、バネ状接触部７１２の各々が略同一幅で形成され、バネ状接触部７１２・７１２の間でバネ状接触部７１２の幅と略同一幅で周壁７１３が形成され、バネ状接触部７１２と周壁７１３が交互に周方向に設けられている。
【００３５】
そして、携帯端末用ロッドアンテナ１のアンテナエレメント部２、保持部３、接触導通部４を軸周りで所要の方向に回転させ、アンテナエレメント部２及び保持部３を所要の傾斜角度に傾けた状態で使用した際には（図４（ｂ）の二点鎖線参照）、ホルダー７の筒部７１のバネ状接触部７１２と周壁７１３に、接触導通部４の基部４１の平面状の側面４１１の各々が対応配置され、バネ状接触部７１２と対応配置される側面４１１はバネ状接触部７１２で内向きに付勢支持され、接触導通部４の基部４１は周方向に略等間隔で離間する方向から内向きに付勢支持される（図５参照）。
【００３６】
これにより、接触導通部４の基部４１は周方向にバランス良く安定して支持されると共に、バネ状接触部７１２の内向きの付勢力で、側面４１１よりも軸中心から遠い距離にある側面４１１・４１１間の角部４１２が、バネ状接触部７１２に対応するように回転することが防止され、適度な回転しにくさを得ることができる。
【００３７】
これに対して、図６、図７に示すように、接触導通部４ｍの基部４１ｍが略円柱形である既存の携帯端末用ロッドアンテナ１ｍは、円周面４１３ｍがバネ状接触部７１２ｍと接触するため軸周りに回転しやすく、衝撃や振動が加わった際にアンテナエレメント部２ｍの軸周りの回動動作が生じ、更に、この回動動作による遠心力と衝撃や振動が相俟ってアンテナエレメント部２ｍが不用意に傾動して倒れてしまう。尚、図６、図７において、アンテナエレメント部２ｍ、棒状アンテナエレメント２５ｍ、保持部３ｍ、ストッパー４２ｍ、軸支部５ｍ、ホルダー７ｍ、スリット７１１ｍ、バネ状接触部７１２ｍ、周壁７１３ｍは、本実施形態の携帯端末用ロッドアンテナ１の対応部と同一構成を有する。
【００３８】
また、接触導通部４の基部４１の角部４１２をホルダー７のバネ状接触部７１２に対応するように配置した場合には、バネ状接触部７１２の内向きの付勢力で、角部４１２よりも軸中心から近い距離にある側面４１１をバネ状接触部７１２と対応配置するように軸周りに回転が生じて、バネ状接触部７１２に側面４１１が各々対応配置されて略平面的に接触する。
【００３９】
本実施形態によれば、接触導通部４の基部４１がホルダー７のバネ状接触部７１２と周方向に略等間隔で離間する複数箇所で略平面的に接触することになるから、周方向の略等間隔な位置による略平面的な接触の付勢で安定して保持し、アンテナエレメント部２、保持部３、接触導通部４を軸周りに回転しにくくすることが可能となり、衝撃や振動が加わった際のアンテナエレメント部２の軸周りの回転や傾動に対する耐性を強め、アンテナエレメント部２を所要方向に調整した状態をより高い安定性で維持することができる。また、接触導通部４の基部４１を筒部７１内で軸周りに回転可能とすることにより、携帯端末用ロッドアンテナ１の軸周りの回転による電波受信状態の調整機能を確保することができる。また、故障が生じ易い複雑な構造を有しないものであり、安価に実現することができると共に、実用レベルで十分な耐久性を有するものとすることができる。
【００４０】
また、本実施形態では、周方向に離間して設けられる複数のバネ状接触部７１２で接触部を構成し、周方向に略等間隔で離間するバネ状接触部７１２と基部４１の平面状の側面４１１が略平面的に接触することにより、略平面的に接触する領域の接触面積の増加、接触状態の均等性の向上を図ることができ、略平面的な接触による保持力、状態維持の安定性を一層高めることができる。
【００４１】
また、接触導通部４の基部４１を略正多角柱状に形成することにより、略正多角柱状の基部４１の側面４１１の幅毎の軸周りの回転により、アンテナエレメント部２の軸周りの方向調整を行うことが可能となり、且つその方向調整した状態を略平面的な接触で安定して定置することが可能となる。
【００４２】
更に、本実施形態では、接触導通部４の基部４１を、筒部７１の略同一幅で形成されるバネ状接触部７１２とバネ状接触部７１２・７１２の間でバネ状接触部７１２と略同一幅で設けられる周壁７１３の各々に対応配置可能な平面状の側面４１１を有する略正偶数角柱状に形成することにより、アンテナエレメント部２等の軸周りの良好な回転し易さを得ることができると共に、側面４１１の幅毎の回転により、アンテナエレメント部２の軸周りの方向調整を行うことができ、より微妙な電波受信状態の調整を行うことができる。更に、側面４１１の幅毎に安定した定置状態を得ることができ、電波受信を調整した状態の維持をより小さい軸周りの回転角度毎に行うことができる。
【００４３】
更に、本実施形態では、接触導通部４の基部４１を略正８角柱状に形成することにより、アンテナエレメント部２等の軸周りの回転し易さと回転しにくさを非常に良好なバランスで実現することができ、更に、ホルダー７の接触部７１２による接触導通部４の基部４１の平面状側面４１１への付勢支持を周方向で略等間隔に離間した４方向で行うことができ、ホルダー７の接触部７１２による接触導通部４の保持状態を非常に安定させることができる。また、適度な精密加工で安価に得ることができる。
【００４４】
〔実施形態の変形例等〕
本明細書開示の発明には、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記変形例も包含する。
【００４５】
例えば本発明の携帯端末用ロッドアンテナは、上記実施形態の携帯端末用ロッドアンテナ１以外にも、接触導通部の基部が、ホルダー筒部の周方向に設けられる内側に膨出する接触部と、周方向に略等間隔で離間する複数箇所で略平面的に接触可能な平面状の側面を有する略多角柱状に形成される適宜の構成を含み、例えばホルダー７の周壁７１３に対応して接触導通部４の基部４１の側面４１１・４１１間の角部４１２が対応配置されるものや、或いはホルダー７の周壁７１３に対応して接触導通部４の基部４１の２つの側面４１１・４１１が対応配置されるものや、或いはホルダー７の複数のバネ状接触部７１２のうちの一部のバネ状接触部７１２に対応して接触導通部４の基部４１の側面４１１・４１１間の角部４１２が対応配置されるもの等を包含する。
【００４６】
図８の例は、ホルダー７の筒部７１に形成されている複数のバネ状接触部７１２のうち、一部のバネ状接触部７１２に対応して接触導通部４の基部４１の側面４１１・４１１間の角部４１２が対応配置され、残部のバネ状接触部７１２に対応して基部４１の側面４１１が対応配置されるものである。本例では、筒部７１に４個の周壁７１３と４個のバネ状接触部７１２が交互に設けられ、その内部に略六角柱状の基部４１が摺動接触可能に挿入され、周方向に略等間隔で離間して対向配置されている２つのバネ状接触部７１２・７１２と、基部４１の２つの側面４１１・４１１が略平面的に接触している。
【００４７】
更に、接触導通部の基部には、側面の幅が略同一の略正多角柱状、略正偶数角柱状の他、例えば一部の側面の幅が異なる、或いは一部の側面が内側に凹状に形成されている等の略多角柱状のものも包含される。
【００４８】
更に、例えば図９に示すように、接触導通部４の基部４１が、筒部７１のスリット７１１を介して離間して略同一幅で形成されるバネ状接触部７１２の各々に対応配置可能な平面状の側面４１１を有する略正多角柱状に形成されているものも本発明の携帯端末用ロッドアンテナに含まれる。本例でも、アンテナエレメント部２等の軸周りの良好な回転し易さを得ることができると共に、バネ状接触部７１２に対応する側面４１１の幅毎の回転により、アンテナエレメント部２の軸周りの方向調整を行うことができ、より微妙な電波受信状態の調整を行うことができる。加えて、当該側面４１１の幅毎に安定した定置状態を得ることができ、電波受信を調整した状態の維持をより小さい軸周りの回転角度毎に行うことができる。
【００４９】
尚、図９示例の更なる変形例として、ホルダー７の筒部７１の一部のバネ状接触部７１２に対応して接触導通部４の基部４１の側面４１１・４１１間の角部４１２が対応配置されるものや、或いはホルダー７の筒部７１の一部のバネ状接触部７１２に対応して接触導通部４の基部４１の２つの側面４１１・４１１が対応配置されるもの等も本発明に包含される。
【００５０】
更に、本発明の携帯端末用ロッドアンテナでは、基部４１の側面４１１により、周方向に略等間隔で離間して接触部と略平面的に接触可能な複数箇所が２箇所以上になるものを包含するが、好ましくは、基部４１の側面４１１により、周方向に略等間隔で離間して接触部と略平面的に接触可能な複数箇所が３箇所以上になるものとするとよい。これにより、ホルダー７の接触部による接触導通部４の基部４１の平面状側面４１１への付勢支持を周方向で略等間隔に離間した３方向以上で行うことができ、ホルダー７の接触部による接触導通部４の保持状態をより安定させることができる。
【００５１】
更に、接触導通部４の基部４１が６角形以上１６角形以下の略正多角柱状若しくは略正偶数角柱状に形成されるものとすると、アンテナエレメント部２等の軸周りの回転し易さと回転しにくさを良好なバランスで実現することができると同時に、ホルダー接触部による接触導通部４の基部の平面状側面４１１への付勢支持を周方向で略等間隔に離間した３方向以上で行うことができ、ホルダーの接触部による接触導通部の保持状態をより安定させることができて好ましい。
【００５２】
また、本発明における直線状のアンテナエレメント部は、多段式に出没して伸長・短縮するものに限定されず、例えば棒状アンテナエレメントで構成されるアンテナエレメント部を有する携帯端末用ロッドアンテナも本発明に含まれる。また、直線状のアンテナエレメント部を多段式とする場合に、その段数は適宜であり、上記実施形態の４個の筒状アンテナエレメント２１〜２４と１個の棒状アンテナエレメント２５の５段構成の他、例えば１個、２個、３個、５個若しくは６個の筒状アンテナエレメントと１個の棒状アンテナエレメントで構成されるアンテナエレメント部等とすることが可能である。
【００５３】
また、本発明における軸支部に対する弾性材の付勢は適宜の構成で行うことが可能であり、例えば係合凹部を有する突出板を接触導通部に、一対の板状部を保持部に設け、この一対の板状部間に突出板を挿入して軸支ピンで軸支し、保持部内に設けられる球体等の係止体と弾性材による付勢機構で軸支部を付勢する等とすることが可能である。また、本発明における保持部、接触導通部には、複数の部材或いは部分から構成されるものも各々含まれる。
【００５４】
また、本発明におけるホルダー筒部に設けられる接触部には、直接筒部７１にバネ状接触部７１２を形成する構成以外に、内側に膨出するバネ状接触部が周方向に設けられている筒材をホルダー筒部内に嵌合等で収容して設けられるものも含まれる。また、周方向に設けられる接触部には、バネ状接触部７１２をスリット７１１と周壁７１３で離間して所定間隔を開けて設ける構成、バネ状接触部７１２をスリット７１１を介して周方向に並べて設ける構成の他に、例えばホルダー筒部に、略円形或いは略矩形等の略多角形で内側に膨出する部分を設けて接触部とする構成等も含まれる。
【実施例】
【００５５】
本発明の実施例の携帯端末用ロッドアンテナ構造と従来例の携帯端末用ロッドアンテナ構造の耐性試験の比較結果について説明する。
【００５６】
耐性試験は図１０の耐性試験装置により行った。この耐性試験装置は、棒状の保持治具１０１を有し、保持治具１０１は基端側を軸支部１０２で軸支されて回転可能になっていると共に、持ち上げて傾斜させていない状態では、支持部１０３で水平に保持されている。保持治具１０１は、軸支部１０２を中心に回転し、角度目盛り板１０４の０°〜９０°の範囲で回転可能にである。
【００５７】
保持治具１０１の先端では、携帯端末用ロッドアンテナが収容されたホルダーが保持される。実施例の携帯端末用ロッドアンテナ構造では、図１〜図５の例の携帯端末用ロッドアンテナ１が図５のように接触導通部４の略正８角柱状の基部４１がホルダー７に収容された状態でホルダー７が保持され、従来例の携帯端末用ロッドアンテナ構造では、図６、図７の例の携帯端末用ロッドアンテナ１ｍが図７（ｃ）のように接触導通部４ｍの略円柱状の基部４１ｍがホルダー７ｍに収容された状態でホルダー７ｍが保持される。また、試験前の実施例と従来例の携帯端末用ロッドアンテナ１、１ｍは、軸支部５、５ｍで略直角に折り曲げられ、アンテナエレメント部２、２ｍと保持部３、３ｍが紙面垂直方向に延びるようにして配置される。
【００５８】
そして、各携帯端末用ロッドアンテナ構造を保持する保持治具１０１を図１０の二点鎖線曲線矢印のように回転させ、角度目盛り板１０４の所定の角度（１０°〜９０°の１０°毎の角度）まで持ち上げ、その角度から回転させて自然落下させた。この自然落下の衝撃による、携帯端末用ロッドアンテナ１、１ｍのアンテナエレメント部２、２ｍのホルダー７に対する二点鎖線直線矢印の方向への回転角度を図１１のグラフに示す。
【００５９】
図１１のグラフから明らかなように、従来例では、倒し初めの角度が１０°の場合からアンテナエレメント部２ｍが回転し、その後、倒し初めの角度を増加するに従って回転角度が漸次増加していった。これに対して、実施例では、倒し初めの角度が５０°まではアンテナエレメント部２の回転は発生せず、軸周りの回転耐性が従来例よりかなり大きいことが分かる。従って、実施例の携帯端末用ロッドアンテナ構造は、軸周りの回転動作、更には、この回動動作による遠心力と衝撃や振動が相俟って生ずるアンテナエレメント部２の不用意な傾動に対する耐性が極めて高いことが理解される。
【産業上の利用可能性】
【００６０】
本発明は、例えばワンセグ放送を受信可能なスマートフォン等の携帯端末に利用することができる。
【符号の説明】
【００６１】
１、１ｍ…携帯端末用ロッドアンテナ  ２、２ｍ…アンテナエレメント部  ２１…第１の筒状アンテナエレメント  ２１１…キャップ  ２２…第２の筒状アンテナエレメント  ２３…第３の筒状アンテナエレメント  ２４…第４の筒状アンテナエレメント  ２５、２５ｍ…棒状アンテナエレメント  ３、３ｍ…保持部  ４、４ｍ…接触導通部  ４１、４１ｍ…基部  ４１１…側面  ４１２…角部  ４１３ｍ…円周面  ４２、４２ｍ…ストッパー  ４３…上部  ５、５ｍ…軸支部  ５１…突出板  ５２…係合凹部  ５３…軸支ピン  ６１…係止体  ６２…弾性材  ７、７ｍ…ホルダー  ７１…筒部  ７１１、７１１ｍ…スリット  ７１２、７１２ｍ…接触部  ７１３、７１３ｍ…周壁  ７２…取付板  １０１…保持治具  １０２…軸支部  １０３…支持部  １０４…角度目盛り板
【図１】
2014236356.tif 000003
【図２】
2014236356.tif 000004
【図３】
2014236356.tif 000005
【図４】
2014236356.tif 000006
【図５】
2014236356.tif 000007
【図６】
2014236356.tif 000008
【図７】
2014236356.tif 000009
【図８】
2014236356.tif 000010
【図９】
2014236356.tif 000011
【図１０】
2014236356.tif 000012
【図１１】
2014236356.tif 000013